(57)【要約】【課題】内装部材を外蓋に容易に装着することができ、高い気密性を備え、収容物の分別廃棄が容易な容器の蓋、および該容器の蓋を備える薬剤収容用の容器を提供することを目的とする。【解決手段】外蓋の内周壁に、係合凸部を形成し、内装部材の外周側位置には、径方向外側に向けて斜め下方に突設する複数の係合片が形成されていて、内装部材を外蓋の内側に装着する際に、内装部材の複数の係合片が、前記係合凸部を乗り越えて、前記外蓋の内周壁と当接するように構成した。【選択図】図２
2010260612.tif 000002
【特許請求の範囲】
【請求項１】
頂壁と周壁とを有する外蓋と、
前記外蓋の内側に装着される内装部材とを備え、
前記内装部材が装着された外蓋を容器の口部の嵌め込むことで、容器の口部を閉止して、容器内を気密に保持するように構成された容器の蓋であって、
前記外蓋の内周壁には、係合凸部が突設し、
前記内装部材の外周側位置には、径方向外側に向けて斜め下方に突設する複数の係合片が形成されていて、
前記内装部材を前記外蓋の内側に装着する際に、
前記内装部材の複数の係合片が、前記係合凸部を乗り越えて、前記外蓋の内周壁と当接するように構成されていることを特徴とする容器の蓋。
【請求項２】
前記内装部材が、底壁と周壁とを有する内蓋であって、
前記内蓋を前記外蓋の内側に装着することで、外蓋の頂壁と、内蓋の周壁および底壁により囲まれた空間が形成されるよう構成されているとともに、
前記内蓋の周壁の先端には、径方向外側に向けて略水平に突設する環状フランジが形成されていて、
前記複数の係合片は、前記環状フランジの外周側位置に形成されていることを特徴とする請求項１に記載の容器の蓋。
【請求項３】
前記環状フランジには、内周側位置から上方に突設する内周側環状凸部と、外周側位置から上方に突設する外周側環状凸部とが形成されており、
前記内蓋を前記外蓋の内側に装着する際に、前記内周側環状凸部と前記頂壁の下面とが当接し、
前記内蓋が装着された外蓋を容器の口部に嵌め込む際に、前記外周側環状凸部と前記頂壁の下面とが当接して、
これにより、前記容器内を気密に保持するように構成されていることを特徴とする請求項２に記載の容器の蓋。
【請求項４】
前記内蓋の底壁の外周部には、引き千切り可能な程度に弱められた線状の弱化部が形成されていることを特徴とする請求項２または３に記載の容器の蓋。
【請求項５】
前記外蓋の頂壁と、前記内蓋の周壁および底壁により囲まれた前記空間に乾燥剤が収容されることを特徴とする請求項２から４のいずれかに記載の容器の蓋。
【請求項６】
前記内装部材が、平板状に形成されたパッキンであることを特徴とする請求項１に記載の容器の蓋。
【請求項７】
前記パッキンには、外周側位置から上方に突設する外周側環状凸部と、
前記外周側環状凸部の内周側位置から上方に突設する内周側環状凸部とが形成されており、
前記パッキンが装着された外蓋を容器の口部に嵌め込む際に、前記外周側環状凸部と前記頂壁の下面とが当接して、
これにより、前記容器内を気密に保持するように構成されていることを特徴とする請求項６に記載の容器の蓋。
【請求項８】
前記複数の係合片が、弾性変形した状態で、前記外蓋の内周壁と当接するように構成されていることを特徴とする請求項１から７のいずれかに記載の容器の蓋。
【請求項９】
前記内装部材の外周側位置には、相互に隣接する前記複数の係合片の間に、略水平に突設する複数の案内片が形成され、
前記案内片は、前記係合片よりも肉厚に形成されており、
前記内装部材を前記外蓋の内側に装着する際に、
前記複数の案内片が、前記係合凸部を乗り越えて、略水平に突設した状態で、前記外蓋の内周壁と当接するように構成されていることを特徴とする請求項１から８のいずれかに記載の容器の蓋。
【請求項１０】
請求項１から９に記載の容器の蓋を備え、該容器内に薬剤が収容されることを特徴とする容器。
【発明の詳細な説明】
【技術分野】
【０００１】
本発明は、外蓋に内装部材が装着された容器の蓋、およびかかる容器の蓋を備える薬剤収容用の容器に関する。
【０００２】
さらに詳しくは、本発明は、内装部材として、内蓋の内部に乾燥剤などを収容した内蓋や、パッキンを外蓋に装着した容器の蓋であって、薬剤などが収容された容器を閉栓することにより、容器内の雰囲気を防湿または調湿された状態に維持するための技術、および用済み後には、内蓋の内部に収容されている乾燥剤などを、容易に分別廃棄し得るようにするための技術に関する。
【背景技術】
【０００３】
従来、容器内に湿気を嫌う例えば薬剤などを収容する場合には、容器の口部を蓋体により気密に閉止し、かかる蓋体の内部に乾燥剤を収容させて、この乾燥剤の吸湿機能または調湿機能により、容器内の雰囲気を所定の状態に保持するという防湿が行われている。
【０００４】
このような防湿を実現させるため、外蓋の内側にパッキンを装着したものや、外蓋の内側に有底円筒状の内蓋を着脱可能に装着し、この内蓋の内部に乾燥剤を収容したものが知られている。そして、この外蓋の内側に内蓋を装着したものでは、内蓋の底壁に貫通させた通気孔を通して、容器内の雰囲気と乾燥剤とを接触させることで、乾燥剤に容器内の雰囲気に含まれる水分を吸湿させ、防湿を図るようにしている。
【０００５】
また、容器内に収容していた薬剤などの全てが消費されて、容器を廃棄する段階では、乾燥剤を分別廃棄するため、内蓋の内部から乾燥剤を取り出す必要がある。
【０００６】
このような容器の蓋に関して、図１５、図１６、図１７、図１８に示したような容器の蓋１００が、本出願人により開示されている（特許文献１）。ここで、図１５は、従来の容器の蓋１００の部分省略断面図、図１６は、図１５のＡ部の部分拡大図で、内蓋が外蓋に装着される前の状態を示した図、図１７は、図１５のＡ部の部分拡大図で、内蓋が外蓋に装着された後の状態を示した図、図１８は、図１５のＡ部の部分拡大図で、内蓋が装着された外蓋を容器の口部に嵌め込んだ後の状態を示した図である。
【０００７】
なお、本明細書において、「上方」「上面」とは、外蓋の内側に内蓋を装着した際の外蓋の頂壁側を言い、「下方」「下面」とは、外蓋の内側に内蓋を装着した際の内蓋の底壁側を言う。
【０００８】
この特許文献１の容器の蓋１００は、図１５に示したように、頂壁１４０と、この頂壁１４０と一体に形成された周壁１４２とを有する外蓋１０４、および底壁１２８と、この底壁１２８と一体に形成された周壁１２６とを有する内蓋１０２とを備えている。外蓋１０４の周壁１４２は、頂壁１４０の外周側位置から下方に向けて突設し、内蓋１０２の周壁１２６は、底壁１２８の外周側位置から上方に向けて突設している。
【０００９】
また、外蓋１０４の内側には、内蓋１０２がその周壁１２６の先端側から装着されて、これにより、外蓋１０４の頂壁１４０と、内蓋１０２の周壁１２６および底壁１２８により囲まれた空間１０６が形成され、この空間１０６に乾燥剤１０８が収容されている。すなわち、外蓋１０４の内側に装着された内蓋１０２の内部には、乾燥剤１０８が収容されている。
【００１０】
さらに、この内蓋１０２が装着された外蓋１０４が、薬剤が収容された容器１０５の口部１５２に嵌め込まれることで、容器１０５の口部１５２が閉止されている。
【００１１】
外蓋１０４の内周壁１４２ａには、容器１０５のネジ部１５３と螺合するネジ部１４３が形成されるとともに、その内周壁１４２ａの頂壁１４０側には、環状に形成された係合凸部１４４が突設している。
【００１２】
また、内蓋１０２の周壁１２６の先端には、径方向外側に向けて略水平に突設する環状フランジ１３０が、周壁１２６と一体に形成されている。この環状フランジ１３０には、環状フランジ１３０の内周側位置から上方に突設する内周側環状凸部１３２と、外周側位置から上方に突設する外周側環状凸部１３４とが形成されている。この内周側環状凸部１３２の先端は、内蓋１０２が装着された外蓋１０４が容器１０５の口部１５２に嵌め込まれる前の状態において、外周側環状凸部１３４の先端よりも上方に位置するように形成されている。
【００１３】
また、環状フランジ１３０には、外周側位置から径方向外側に突設する複数の係合片１３６、１３６、…が形成されている。この係合片１３６は、図１６に示したように、内蓋１０２が外蓋１０４の内側に装着される前の状態では、環状フランジ１３０の外周側位置から径方向外側に向けて略水平に突設している。
【００１４】
また、図１６に示したように、外蓋１０４の中心線ＣＬ１０４から係合凸部１４４の基端までの長さｒ１´は、内蓋１０２と外蓋１０４との中心位置を合わせて、内蓋１０２を外蓋１０４の内側に装着した際に、内蓋１０２の中心線ＣＬ１０２から係合片１３６の先端までの長さｒ４´よりも短くなるように構成されている。また、外蓋１０４の中心線ＣＬ１０４から係合凸部１４４先端までの長さｒ２´は、内蓋１０２と外蓋１０４との中心位置を合わせて、内蓋１０２を外蓋１０４の内側に装着した際に、内蓋１０２の中心線ＣＬ１０２から係合片１３６の基端までの長さｒ３´よりも長くなるように構成されている。
【００１５】
そして、図１７に示したように、内蓋１０２の内周側環状凸部１３２が、外蓋１０４の頂壁１４０の下面１４０ａに当設するように、内蓋１０２が外蓋１０４の内側に装着されると、内蓋１０２の複数の係合片１３６、１３６、…が、係合凸部１４４を乗り越えて、弾性変形した状態で、外蓋１０４の内周壁１４２ａと当接する。これにより外蓋１０４と内蓋１０２とが係合されて、内蓋１０２が外蓋１０４に装着された状態で保持されるようになっている。
【００１６】
また、図１８に示したように、内蓋１０２の内周側環状凸部１３２が、外蓋１０４の頂壁１４０の下面１４０ａに当接するように、内蓋１０２が外蓋１０４の内側に装着され、更に、内蓋１０２が装着された外蓋１０４が、容器１０５の口部１５２に嵌め込まれた際、すなわち、図１７に示した状態の外蓋１０４が、容器１０５の口部１５２に嵌め込まれた際は、容器１０５の口部１５２の先端が、内蓋１０２の環状フランジ１３０の下面１３０ａを圧接し、これにより環状フランジ１３０が上向きに湾曲するように弾性変形して、外周側環状凸部１３４が外蓋１０４の頂壁１４０の下面１４０ａに当接する。
【００１７】
したがって、内蓋１０２が装着された外蓋１０４が、容器１０５の口部１５２に嵌め込まれた状態では、内周側環状凸部１３２と、外周側環状凸部１３４の２箇所において、容器内の雰囲気が容器外の雰囲気から遮断されて、容器１０５を気密に保持できるようになっている。また、図１５に示したように、内蓋１０２の底壁１２８に貫通させた通気孔１２９を通して、容器１０５内の雰囲気と乾燥剤１０８とを接触させて、乾燥剤１０８に容
器１０５内の雰囲気に含まれる水分を吸湿させ、防湿を図ることができるようになっている。
【００１８】
さらに、底壁１２８には、外周部に弱化部１３１と、中央部に不図示の摘み片が形成されており、この摘み片を下向に引くことにより、底壁１２８の全体を弱化部１３１に沿って引き千切ることができるように構成されている。したがって、用済み時には、乾燥剤１０８を分別廃棄するため、この不図示の摘み片を引くだけで内蓋１０２から乾燥剤１０８を容易に取り出すことができるようになっている。
【先行技術文献】
【特許文献】
【００１９】
【特許文献１】特開２００９−４０４３５号公報
【特許文献２】公開実用昭和５７−１９０７６１号公報
【発明の概要】
【発明が解決しようとする課題】
【００２０】
ところで、特許文献１の容器の蓋１００では、係合片１３６が環状フランジ１３０の外周側位置から径方向外側に向けて略水平に突設しているため、内蓋１０２を外蓋１０４の内側に装着する際に、係合片１３６が係合凸部１４４を乗り越えるためには、係合片１３６を大きく弾性変形させる必要がある。しかし、複数の係合片１３６、１３６、…を大きく弾性変形させるためには、内蓋１０２に大きな押し込み力を作用させる必要があるため、内蓋１０２の装着作業性に劣るところがあった。
【００２１】
また、内蓋１０２を外蓋１０４の内側に装着する際に、押し込み力が偏って作用した場合や、内蓋１０２や外蓋１０４に寸法誤差があると、複数の係合片１３６、１３６、…が不均等に弾性変形した状態で係合凸部１４４を乗り越え、内蓋１０２が傾いた状態で外蓋１０４と係合される。また、内蓋１０２が外蓋１０４に装着された後に、内蓋１０２および外蓋１０４に外部から衝撃が加わると、内蓋１０２が傾いた状態で外蓋１０４と係合される場合がある。すなわち、図１９に示したように、複数の係合片１３６、１３６、…のうち、ある係合片１３６ａは、略水平の状態に復元して内周壁１４２ａと当接し、これと対向する位置にある係合片１３６ｂは、下向きに大きく弾性変形した状態で内周壁１４２ａと当接して、所謂芯ずれを起こした状態で、内蓋１０２と外蓋１０４とが係合される。
【００２２】
この芯ずれを起こした状態で、内蓋１０２と外蓋１０４とが係合されると、内周側環状凸部１３２および外周側環状凸部１３４と、頂壁１４０の下面１４０ａとが、全周に亘って均等に当接しないため、容器１０５の気密性が低下してしまうとの問題が生じていた。
【００２３】
なお、特許文献１には、多少芯ずれを起こした状態であっても、外蓋１０４を容器１０５の口部１５２に嵌め込むことにより、内蓋１０２が調芯されるように変位する旨が記載されている。しかし、図１９に示した係合片１３６ａのように、略水平の状態にまで復元してしまうと、この係合片１３６ａに水平方向の力が作用しても弾性変形しないため、内蓋１０２が装着された外蓋１０４を容器１０５の口部１５２に嵌め込むことによっても、複数の係合片１３６,１３６、…を均等に弾性変形した状態に戻すことは困難である。
【００２４】
上述した問題に対応するため、小さな押し込み力で、内蓋１０２を外蓋１０４の内側に装着できるよう、係合片１３６の長さを短くすることや、係合片１３６の剛性を小さくすることが考えられる。しかし、この場合には、内蓋１０２と外蓋１０４との係合力も小さくなってしまうため、内蓋１０２の底壁１２８を引き千切って、内蓋１０２から乾燥剤１０８を取り出そうとした際に、内蓋１０２が外れてしまうとの、新たな問題が生じてしまう。
【００２５】
また、公開実用昭和５７−１９０７６１には、図２０に示したように、頂壁２４０と周壁２４２とを有する外蓋２０４と、底壁２２８と周壁２２６とを有する内蓋２０２とを備え、外蓋２０４の内周壁２４２ａには係合凸部２４４が突設し、内蓋２０２の周壁２２６の先端に径方向外側に向けて斜め下方に突設する環状フランジ２３０が形成された、容器の蓋２００が開示されている（特許文献２）。
【００２６】
この特許文献２の容器の蓋２００では、環状フランジ２３０が斜め下方に突設することで、内蓋２０２を外蓋２０４の内側に装着し易く、且つ、内蓋２０２が外蓋２０４から外れ難く構成されているものの、気密性については何ら考慮されておらず、気密性が要求される容器の蓋に使用することは出来なかった。
【００２７】
本発明は、このような従来の問題点に鑑みなされたものであって、小さな押し込み力で内装部材を外蓋の内側に装着することができ、且つ、装着された内装部材が外れ難い容器の蓋、および該容器の蓋を備える薬剤収容用の容器を提供することを目的とする。
【００２８】
また、本発明は、内装部材が外蓋に芯ずれを起こした状態で装着された場合であっても、外蓋を容器の口部に嵌め込むことにより、容易に調芯することが可能な、容器の蓋、および該容器の蓋を備える薬剤収容用の容器を提供することを目的とする。
【００２９】
さらに、本発明は、内装部材が外蓋に装着された後に、内装部材および外蓋に外部から衝撃が加わった場合でも、気密性が低下しない容器の蓋、および該容器の蓋を備える薬剤収容用の容器を提供することを目的とする。
【００３０】
また、本発明は、内装部材たる内蓋から収容物を取り出す際に、収容物だけを容易に取り出すことができ、蓋と収容物の分別廃棄が容易な容器の蓋、および該容器の蓋を備える薬剤収容用の容器を提供することを目的とする。
【課題を解決するための手段】
【００３１】
本発明は、上述したような従来技術における課題および目的を達成するために発明されたものであって、本発明の容器の蓋は、
頂壁と周壁とを有する外蓋と、
前記外蓋の内側に装着される内装部材とを備え、
前記内装部材が装着された外蓋を容器の口部の嵌め込むことで、容器の口部を閉止して、容器内を気密に保持するように構成された容器の蓋であって、
前記外蓋の内周壁には、係合凸部が突設し、
前記内装部材の外周側位置には、径方向外側に向けて斜め下方に突設する複数の係合片が形成されていて、
前記内装部材を前記外蓋の内側に装着する際に、
前記内装部材の複数の係合片が、前記係合凸部を乗り越えて、前記外蓋の内周壁と当接するように構成されていることを特徴とする。
【００３２】
このように構成することによって、係合片が内装部材の外周側位置から径方向外側に向けて斜め下方に突設するため、従来と比べて小さな押し込み力で、内装部材を外蓋に装着することができ、外蓋のネジ部と内装部材の係合片との干渉に起因する、係合片の破断、折れ込み、粉吹きなどを防止することができる。また、後述するように、内装部材が自動的に調芯されることと相まって、従来と比べてシビアな位置決めを行わずとも、芯ずれを起こすことなく内装部材を外蓋に装着することができ、内装部材の装着作業性に優れるとともに、歩留りも向上する。
【００３３】
また、芯ずれを起こした状態で内装部材と外蓋とが係合された場合であっても、内装部材が装着された外蓋を容器の口部に嵌め込むことで、内装部材が自動的に調芯されるため、安定して高い気密性を備えた容器の蓋、および該容器の蓋を備える薬剤収容用の容器を提供することができる。
【００３４】
さらに、内装部材が外蓋に装着された後に、内装部材および外蓋に外部から衝撃が加わった場合でも、芯ずれが生じ難く、気密性が低下しないため、安定して高い気密性を備えた容器の蓋、および該容器の蓋を備える薬剤収容用の容器を提供することができる。
【００３５】
また、係合片が内装部材の外周側位置から径方向外側に向けて斜め下方に突設するため、内装部材を外蓋の内側に装着した後に、内装部材を外蓋から引き抜こうとする力が作用したとしても、内装部材が外蓋から外れ難く、内装部材と外蓋とを確実に係合することが可能な容器の蓋、および該容器の蓋を備える薬剤収容用の容器を提供することができる。
【００３６】
上記発明において、前記内装部材が、底壁と周壁とを有する内蓋であって、
前記内蓋を前記外蓋の内側に装着することで、外蓋の頂壁と、内蓋の周壁および底壁により囲まれた空間が形成されるよう構成されているとともに、
前記内蓋の周壁の先端には、径方向外側に向けて略水平に突設する環状フランジが形成されていて、
前記複数の係合片は、前記環状フランジの外周側位置に形成されていることが望ましい。
【００３７】
このように構成することによって、外蓋の内側に内蓋を装着することで、外蓋の頂壁と、内壁の周壁および底壁により囲まれた空間が形成されるため、この空間に、例えば乾燥剤などの収容物を収容することができる容器の蓋、および該容器の蓋を備える薬剤収容用の容器を提供することができる。
【００３８】
また、上記発明において、前記環状フランジには、内周側位置から上方に突設する内周側環状凸部と、外周側位置から上方に突設する外周側環状凸部とが形成されており、
前記内蓋を前記外蓋の内側に装着する際に、前記内周側環状凸部と前記頂壁の下面とが当接し、
前記内蓋が装着された外蓋を容器の口部に嵌め込む際に、前記外周側環状凸部と前記頂壁の下面とが当接して、
これにより、前記容器内を気密に保持するように構成されていることが望ましい。
【００３９】
このように構成することによって、内周側環状凸部と外周側環状凸部の２箇所において、容器内の雰囲気が容器外の雰囲気から遮断されるため、高い気密性を長期間に亘り維持することが可能な容器の蓋、および該容器の蓋を備える薬剤収容用の容器を提供することができる。
【００４０】
また、上記発明において、前記内蓋の底壁の外周部には、引き千切り可能な程度に弱められた線状の弱化部が形成されていることが望ましい。
【００４１】
このように構成することによって、内蓋を外蓋の内側に装着した状態で、内蓋の底壁を容易に引き千切ることができるため、内蓋を外蓋から取り外すことなく、内蓋内部の収容物を容易に取り出すことができる容器の蓋、および該容器の蓋を備える薬剤収容用の容器を提供することができる。
【００４２】
また、上記発明において、前記外蓋の頂壁と、前記内蓋の周壁および底壁により囲まれた前記空間に乾燥剤が収容されることが望ましい。
【００４３】
このように構成することによって、用済み後に、内蓋を外蓋から取り外すことなく、内蓋内部の乾燥剤を容易に取り出すことができるため、乾燥剤の分別廃棄が容易な容器の蓋、および該容器の蓋を備える薬剤収容用の容器を提供することができる。
【００４４】
上記発明において、前記内装部材が、平板状に形成されたパッキンであることが望ましい。
【００４５】
また、上記発明において、前記パッキンには、外周側位置から上方に突設する外周側環状凸部と、
前記外周側環状凸部の内周側位置から上方に突設する内周側環状凸部とが形成されており、
前記パッキンが装着された外蓋を容器の口部に嵌め込む際に、前記外周側環状凸部と前記頂壁の下面とが当接して、
これにより、前記容器内を気密に保持するように構成されていることが望ましい。
【００４６】
このように構成することによって、小さな押し込み力でパッキンを外蓋の内側に装着することができ、且つ、装着されたパッキンが外れ難いため、安定して高い気密性を備えた容器の蓋、および該容器の蓋を備える薬剤収容用の容器を提供することができる。
【００４７】
また、内周側環状凸部と外周側環状凸部の２箇所において、容器内の雰囲気が容器外の雰囲気から遮断されるため、高い気密性を長期間に亘り維持することが可能な容器の蓋、および該容器の蓋を備える薬剤収容用の容器を提供することができる。
【００４８】
上記発明において、前記内蓋の複数の係合片が、弾性変形した状態で、前記外蓋の内周壁と当接するように構成されていることが望ましい。
【００４９】
このように構成することによって、芯ずれを起こした状態で内装部材と外蓋とが係合された場合であっても、内装部材が装着された外蓋を容器の口部に嵌め込むことで、内装部材が自動的に調芯されるとの調芯作用がより効果的に発揮される。
【００５０】
また、内装部材が外蓋に装着された後に、内装部材および外蓋に外部から衝撃が加わった場合でも、より芯ずれが生じ難いため、より安定して高い気密性を備えた容器の蓋、および該容器の蓋を備える薬剤収容用の容器を提供することができる。
【００５１】
上記発明において、前記環状フランジの外側位置には、相互に隣接する前記複数の係合片の間に、略水平に突設する複数の案内片が形成され、
前記案内片は、前記係合片よりも肉厚に形成されており、
前記内蓋を前記外蓋の内側に装着する際に、
前記複数の案内片が、前記係合凸部を乗り越えて、略水平に突設した状態で、前記外蓋の内周壁と当接するように構成されていることが望ましい。
【００５２】
このように構成することによって、内装部材を外蓋の内側に装着する際や、内装部材が外蓋に装着された後に、内装部材および外蓋に外部から衝撃が加わった際に、より芯ずれが生じ難い容器の蓋、および該容器の蓋を備える薬剤収容用の容器を提供することができる。
【００５３】
また、内装部材を外蓋の内側に装着した後に、内装部材に外蓋から引き抜こうとする力が作用したとしても、内装部材が外蓋からより外れ難くなるため、内装部材と外蓋とを確実に係合することが可能な容器の蓋、および該容器の蓋を備える薬剤収容用の容器を提供
することができる。
【発明の効果】
【００５４】
本発明によれば、小さな押し込み力で内装部材を外蓋の内側に装着することができ、且つ、装着された内装部材が外れ難い容器の蓋、および該容器の蓋を備える薬剤収容用の容器を提供することができる。
【００５５】
また、本発明によれば、内装部材が外蓋に芯ずれを起こした状態で装着された場合であっても、外蓋を容器の口部に嵌め込むことにより、容易に調芯することが可能な、容器の蓋、および該容器の蓋を備える薬剤収容用の容器を提供することができる。
【００５６】
さらに、本発明によれば、内装部材が外蓋に装着された後に、内装部材および外蓋に外部から衝撃が加わった場合でも、気密性が低下しない容器の蓋、および該容器の蓋を備える薬剤収容用の容器を提供することができる。
【００５７】
また、本発明によれば、内装部材たる内蓋から収容物を取り出す際に、収容物だけを容易に取り出すことができ、蓋と収容物の分別廃棄が容易な容器の蓋、および該容器の蓋を備える薬剤収容用の容器を提供することができる。
【図面の簡単な説明】
【００５８】
【図１】図１は、本発明の容器の蓋であって、内蓋が外蓋の内側に装着される前の状態を示した斜視図である。
【図２】図２は、本発明の容器の蓋の部分省略断面図である。
【図３】図３は、本発明の容器の蓋の内蓋を示した平面図である。
【図４】図４は、図２のＡ部の拡大図で、外蓋に内蓋が装着される前の状態を示した図である。
【図５】図５は、図２のＡ部の拡大図で、外蓋に内蓋が装着された後の状態を示した図である。
【図６】図６は、図２のＡ部の拡大図で、内蓋が装着された外蓋を容器の口部に嵌め込んだ後の状態を示した図である。
【図７】図７は、内蓋が外蓋に装着される際、係合片が弾性変形する状態を説明する図である。
【図８】図８は、本発明の容器の蓋が、芯ずれした状態を示した断面図である。
【図９】図９は、内蓋が外蓋に装着された状態で、内蓋を引き抜こうとした際、係合片が弾性変形する状態を説明する図である。
【図１０】図１０は、本発明の第２の実施形態の容器の蓋の内蓋の平面図である。
【図１１】図１１は、図１０のＡ−Ａ線での部分拡大断面図で、内蓋が外蓋に装着される前の状態を示した図である。
【図１２】図１２は、図１０のＡ−Ａ線での部分拡大断面図で、内蓋が外蓋に装着された後の状態を示した図である。
【図１３】図１３は、本発明の第３の実施形態の容器の蓋のパッキンの平面図である。
【図１４】図１４は、図１３のＡ−Ａ線での部分省略断面図である。
【図１５】図１５は、従来の容器の蓋１００の部分省略断面図である。
【図１６】図１６は、図１５のＡ部の部分拡大図で、内蓋が外蓋に装着される前の状態を示した図である。
【図１７】図１７は、図１５のＡ部の部分拡大図で、内蓋が外蓋に装着された後の状態を示した図である。
【図１８】図１８は、図１５のＡ部の部分拡大図で、内蓋が装着された外蓋を容器の口部に嵌め込んだ後の状態を示した図である。
【図１９】図１９は、従来の容器の蓋１００が、芯ずれした状態を示した断面図である。
【図２０】図２０は、従来の容器の蓋２００を示した断面図である。
【発明を実施するための形態】
【００５９】
以下、本発明の実施の形態を図面に基づいてより詳細に説明する。
＜第１の実施形態＞  図１は、本発明の容器の蓋であって、内蓋が外蓋の内側に装着される前の状態を示した斜視図、図２は、本発明の容器の蓋の部分省略断面図、図３は、本発明の容器の蓋の内蓋を示した平面図、図４は、図２のＡ部の拡大図で、内蓋が外蓋に装着される前の状態を示した図、図５は、図２のＡ部の拡大図で、内蓋が外蓋に装着された後の状態を示した図、図６は、図２のＡ部の拡大図で、内蓋が装着された外蓋を容器の口部に嵌め込んだ後の状態を示した図である。
【００６０】
本発明の容器の蓋１は、図１に示したとおり、内蓋２と外蓋４とから構成され、内部に乾燥剤８を収容した内蓋２が、外蓋４の内側に装着されることで、図２に示すとおりに組み立てられる。
【００６１】
この本発明の容器の蓋１は、図１および図２に示したように、略円形状をなした頂壁４０と、この頂壁４０と一体に形成された周壁４２とを有する外蓋４、および略円形状をなした底壁２８と、この底壁２８と一体に形成された周壁２６とを有する内蓋２とを備えており、外蓋４の周壁４２は、頂壁４０の外周側位置から下方に向けて突設し、内蓋２の周壁２６は、底壁２８の外周側位置から上方に向けて突設している。
【００６２】
また、外蓋４の内側には、内蓋２がその周壁２６の先端側から装着されて、これにより、外蓋４の頂壁４０と、内蓋２の周壁２６および底壁２８により囲まれた空間６が形成され、この空間６に例えばシリカゲルなどの乾燥剤８が収容されている。すなわち、外蓋４の内側に装着された内蓋２の内部には、乾燥剤８が収容されている。
【００６３】
さらに、この内蓋２が装着された外蓋４が、薬剤が収容された容器５の口部５２に嵌め込まれることで、容器５の口部５２が閉止されている。
【００６４】
外蓋４の内周壁４２ａには、容器５のネジ部５３と螺合するネジ部４３が形成されるとともに、その内周壁４２ａの頂壁４０側には、内周壁４２ａの内周に沿って、係合凸部４４が環状に突設している。
【００６５】
なお、係合凸部４４の形状は、特に限定されないが、本実施例では、係合片３６が乗り越え易く、且つ、係合片３６と係合し易いよう、断面視で湾曲状に突出している。
【００６６】
また、内蓋２の周壁２６の先端には、径方向外側に向けて略水平に突設する環状フランジ３０が、周壁２６と一体に形成されている。この環状フランジ３０には、環状フランジ３０の内周側位置から上方に突設する内周側環状凸部３２と、外周側位置から上方に突設する外周側環状凸部３４とが形成されている。この内周側環状凸部３２の先端は、内蓋２が装着された外蓋４が容器５の口部５２に嵌め込まれる前の状態において、外周側環状凸部３４の先端よりも上方に位置するように形成されている。
【００６７】
また、環状フランジ３０には、外周側位置から径方向外側に突設する複数の係合片３６、３６、…が形成されている。この複数の係合片３６、３６、…は、図３に示したように、環状フランジ３０の外周側位置に等間隔に配設されており、本実施例では１２個形成されている。また、この係合片３６は、図４に示したように、内蓋２が外蓋４の内側に装着される前の状態では、環状フランジ３０の外周側位置から径方向外側に向けて斜め下方に
突設している。また、この複数の係合片３６、３６、…の形状は、下側に向けて弾性変形し易いように、上面側が急傾斜をなして、先端側に向けて徐々に薄肉になるように形成されており、その基端部の厚さは、環状フランジ３０の厚さの約１／２となっている。また、この複数の係合片３６、３６、…は、全て同一の形状に形成されている。
【００６８】
なお、この複数の係合片３６、３６、…の数は、少なくとも複数個形成されていればよく、容器５および蓋１の形状により適当な数とすることができる。また、複数の係合片３６、３６、…の配置間隔も、特に限定されないが、内蓋２を外蓋４の内側に装着する際に、複数の係合片３６、３６、…が均等に弾性変形して、芯ずれを起こすことがないように、略等間隔に配設されていることが好ましい。
【００６９】
また、図４に示したように、外蓋４の中心線ＣＬ４から係合凸部４４の基端までの長さｒ１は、内蓋２と外蓋４との中心位置を合わせて、内蓋２を外蓋４の内側に装着した際に、内蓋２の中心線ＣＬ２から係合片３６の先端までの長さｒ４よりも短くなるように構成されている。また、外蓋４の中心線ＣＬ４から係合凸部４４先端までの長さｒ２は、内蓋２と外蓋４との中心位置を合わせて、内蓋２を外蓋４の内側に装着した際に、内蓋２の中心線ＣＬ２から係合片３６の基端までの長さｒ３よりも長くなるように構成されている。すなわち、内蓋２の内周側環状凸部３２が、外蓋４の頂壁４０の下面４０ａに当接するように、内蓋２が外蓋４の内側に装着された際に、内蓋の複数の係合片３６、３６、…が、係合凸部４４を乗り越えて、弾性変形した状態で、外蓋４の内周壁４２ａと当接するように構成されている。
【００７０】
そして、図５に示したように、内蓋２の内周側環状凸部３２が、外蓋４の頂壁４０の下面４０ａに当設するように、内蓋２が外蓋４の内側に装着されると、内蓋２の複数の係合片３６、３６、…が、係合凸部４４を乗り越えて、弾性変形した状態で、外蓋４の内周壁４２ａと当接する。これにより外蓋４と内蓋２とが係合されて、内蓋２が外蓋４に装着された状態で保持されるようになっている。
【００７１】
なお、本実施例では、複数の係合片３６、３６、…は、弾性変形した状態で、外壁４の内周壁４２ａと当接するが、本発明の複数の係合片３６、３６、…は、内周壁４２ａと当接するように構成されていればよく、必ずしも弾性変形した状態で、内周壁４２ａと当接してなくともよい。すなわち、図４に示した、外蓋４の中心線ＣＬ４から係合凸部４４の基端までの長さｒ１は、内蓋２と外蓋４との中心位置を合わせて、内蓋２を外蓋４の内側に装着した際に、内蓋２の中心線ＣＬ２から係合片３６の先端までの長さｒ４と略同一の長さになるように構成されてもよい。
【００７２】
ただし、後述するように、芯ずれを起こした状態で内蓋と外蓋とが係合された場合であっても、内蓋２が装着された外蓋４を容器５の口部５２に嵌め込むことで、内蓋４が自動的に調芯されるとの調芯作用をより効果的に発揮させるため、および内蓋２が外蓋４に装着された後に、内蓋２および外蓋４に外部から衝撃が加わった場合でも、より芯ずれを生じ難くするために、複数の係合片３６、３６、…は、弾性変形した状態で、外壁４の内周壁４２ａと当接するように構成されていることが望ましい。
【００７３】
また、図６に示したように、内蓋２の内周側環状凸部３２が、外蓋４の頂壁４０の下面４０ａに当接するように、内蓋２が外蓋４の内側に装着され、更に、内蓋２が装着された外蓋４が、容器５の口部５２に嵌め込まれた際、すなわち、図５に示した状態の外蓋４が、容器５の口部５２に嵌め込まれた際は、容器５の口部５２の先端が、内蓋２の環状フランジ３０の下面３０ａを圧接し、これにより環状フランジ３０が上向きに湾曲するように弾性変形して、外周側環状凸部３４が外蓋４の内周壁４２ａに当接する。
【００７４】
したがって、内蓋２が装着された外蓋４が、容器５の口部５２に嵌め込まれた状態では、内周側環状凸部３２と、外周側環状凸部３４の２箇所において、容器内の雰囲気が容器外の雰囲気から遮断されて、容器５を気密に保持できるようになっている。また、図２および図３に示したように、内蓋２の底壁２８に貫通させた通気孔２９を通して、容器５内の雰囲気と乾燥剤８とを接触させて、乾燥剤８に容器５内の雰囲気に含まれる水分を吸湿させ、防湿を図ることができるようになっている。
【００７５】
なお、本実施例では、容器５内を気密に保持するように構成するため、環状フランジ３０には、内周側位置から上方に突設する内周側環状凸部３２と、外周側位置から上方に突設する外周側環状凸部３４とが形成されているが、本発明の容器の蓋１は、これに限定されない。
【００７６】
すなわち、本発明の容器の蓋１は、容器５内を気密に保持するように構成されていればよく、例えば、環状フランジ３０の上面と、頂壁４０の下面４０ａとが当接することで、容器５内を気密に保持するように構成してもよく、また、例えば、頂壁４０の下面４０ａに環状の突起を形成して、かかる環状の突起と環状フランジ３０の上面とが当接することで、容器５内を気密に保持するように構成してもよい。さらに、例えば、容器５の気密性を向上させるために、外蓋４の頂壁４０の下面４０ａにシート状のパッキンを配置して、頂壁４０の下面４０ａと、環状フランジ３０の上面や、内周側環状凸部３２および外周側環状凸部３４とで、挟み込むように構成してもよい。
【００７７】
さらに、底壁２８には、図２および図３に示したように、外周部に弱化部３１と、中央部に摘み片３３とが形成されており、この摘み片３３を下向に引くことにより、底壁２８の全体を弱化部３１に沿って引き千切ることができるように構成されている。したがって、用済み時には、乾燥剤８を分別廃棄するため、この摘み片３３を引くだけで内蓋２から乾燥剤８を容易に取り出すことができるようになっている。
【００７８】
なお、内蓋２は、容器５の気密性、環状フランジ３０の弾性、および弱化部３１の引き千切り容易性の観点から、合成樹脂成形により形成すればよく、従来と同様に、例えばＰＥ−ＬＤ（低密度ポリエチレン）、ＰＥ−ＬＬＤ（リニア低密度ポリエチレン）、ＰＥ−ＭＤ（中密度ポリエチレン）等のオレフィン系の素材を単独で使用したり、あるいは、これらのいずれかの素材に対しＰＥ−ＨＤ（高密度ポリエチレン）、ＥＶＡ（エチレン−ビニルアルコール共重合体樹脂）もしくはエラストマー等をブレンドしたものを使用することができる。
【００７９】
また、外蓋４および容器５の材料としても、従来と同様に、各種の合成樹脂成形材料を使用することが可能であるが、容器５に薬剤を収容する場合は、固形製材用プラスチックボトルの標準化の要請（「固形製材用プラスチックボトルの標準化」医薬品包装材料標準化委員会  篠田晃  PHARM  TECH  JAPAN  Vol．１７  No．７  ２００１  p27−39）に従い、外蓋４および容器５をＰＥ−ＨＤ（高密度ポリエチレン）により形成し、内蓋２をＰＥ−ＬＤ（低密度ポリエチレン）を主体にして形成するのが好ましい。
【００８０】
また、弱化部３１は、引き千切り可能な程度に弱められていればよく、特に限定されない。本実施例の弱化部５１は、断面形状が略Ｖ字状の凹溝を、底壁２８の下面側に形成したものである。
【００８１】
次に、本発明の係合片３６の作用について、図７、図８、図９を参照しつつ、従来の係合片１３６と対比して説明する。
【００８２】
図７は、内蓋が外蓋に装着される際、係合片が弾性変形する状態を説明する図で、図７
（Ａ）は、従来の容器の蓋１００の係合片１３６が弾性変形した状態と、その際の作用力を、図７（Ｂ）は、本発明の容器の蓋１の係合片３６が弾性変形した状態と、その際の作用力を、それぞれ説明するものである。図８は、本発明の容器の蓋が、芯ずれした状態を示した断面図である。図９は、内蓋が外蓋に装着された状態で、内蓋を引き抜こうとした際、係合片が弾性変形する状態を説明する図で、図９（Ａ）は、従来の容器の蓋１００の係合片１３６が弾性変形した状態を、図９（Ｂ）は、本発明の容器の蓋１の係合片３６が弾性変形した状態を、それぞれ示している。
【００８３】
従来の容器の蓋１００では、図７（Ａ）に示したように、内蓋１０２に上向きの押し込み力Ｐ１´を作用させて、内蓋１０２を外蓋１０４に装着する際、係合片１３６が内周壁１４２ａに押圧されて、図中点線で表示した略水平に突設した状態から、係合片１３６の基端を中心として、角度α´だけ下向きに回転するように弾性変形する。すると、この係合片１３６には、元の略水平の状態に戻ろうとする弾性復元力Ｆ１´が図中の矢印Ｆ１´方向に発生し、この反力として、内周壁１４２ａから反力Ｒ１´が係合片１３６に作用する。この反力Ｒ１´の鉛直成分をＲｖ１´、水平成分をＲｈ１´とすると、内蓋１０２を外蓋に１０４に装着する際に必要な押し込み力Ｐ１´は、係合片１３６と内周壁１４２ａとの摩擦抵抗を無視すれば、反力Ｒ１´の鉛直成分Ｒｖ１´と等しい。
【００８４】
これに対して、本発明の容器の蓋１では、図７（Ｂ）に示したように、内蓋２に上向きの押し込み力Ｐ１を作用させて、内蓋２を外蓋４に装着する際、係合片３６が内周壁４２ａに押圧されて、図中点線で表示した斜め下方に突設した状態から、係合片３６の基端を中心として、角度αだけ下向きに回転するように弾性変形する。すると、この係合片３６には、元の略水平の状態に戻ろうとする弾性復元力Ｆ１が図中の矢印Ｆ１方向に発生し、この反力として、内周壁４２ａから反力Ｒ１が係合片３６に作用する。この反力Ｒ１の鉛直成分をＲｖ１、水平成分をＲｈ１とすると、内蓋２を外蓋に４に装着する際に必要な押し込み力Ｐ１は、係合片３６と内周壁４２ａとの摩擦抵抗を無視すれば、反力Ｒ１の鉛直成分Ｒｖ１と等しい。
【００８５】
ここで、本発明の係合片３６の回転角度αは、従来の係合片１３６の回転角度α´よりも小さく、弾性復元力Ｆ１もＦ１´よりも小さいため、反力Ｒ１はＲ１´よりも小さい。さらに、本発明の係合片３６は、斜め下方に突設している状態から、さらに下方に向けて弾性変形するため、反力Ｒ１は、反力Ｒ１´と比べて、より水平に近い方向に作用する。すなわち、反力Ｒ１に占める鉛直成分Ｒｖ１の割合は、反力Ｒ１´に占める鉛直成分Ｒｖ１´に比して小さい。
【００８６】
したがって、本発明の容器の蓋１では、従来の容器の蓋１００と比べて、小さい押し込み力Ｐ１で、内蓋２を外蓋４の内側に装着することができるため、装着作業性に優れる。
【００８７】
また、本発明の容器の蓋１では、内蓋２と外蓋４とが芯ずれした状態で係合されたとしても、内蓋２が装着された外蓋４を容器５の口部５２に嵌め込むことにより、内蓋２と外蓋４とを自動的に調芯することが可能である。
【００８８】
すなわち、図８に示したように、内蓋２と外蓋４とが芯ずれした状態で係合された状態において、図６に示したように、容器５の口部５２が嵌め込まれると、容器５の口部５２の先端が、内蓋２の環状フランジ３０の下面３０ａを圧接し、これにより環状フランジ３０が上向きに湾曲するように弾性変形して、複数の係合片３６、３６、…が内周壁４２ａに圧接される。この際、複数の係合片３６、３６、…が不均等に弾性変形していると、大きく弾性変形している係合片３６ｂから、斜め下方に突接した状態に復元している係合片３６ａに向かって、水平方向の力が作用する。すると、この係合片３６ａは、斜め下方に突接していることから、内周壁４２ａに圧接されて、再び下向きに弾性変形し、これによ
り内蓋２が調芯される。
【００８９】
このように、本発明の容器の蓋１では、芯ずれを起こした状態で、内蓋２と外蓋４とが係合されたとしても、容器５の口部５２が嵌めこまれることで、内蓋２と外蓋４とが自動的に調芯されるため、高い気密性を安定的に備えることが可能である。
【００９０】
さらに、本発明の容器の蓋１では、内蓋が外蓋に装着された後に、内蓋２および外蓋４に外部から衝撃が加わった場合でも、芯ずれが生じ難いため、気密性が低下しない。
【００９１】
すなわち、従来の容器の蓋１００においては、内蓋１０２が外蓋１０４に装着された後に、内蓋１０２および外蓋１０４に外部から衝撃が加わると、図１９に示したように、係合片１３６ａが略水平の状態に復元し、芯ずれを起こして、気密性が低下する場合がある。
【００９２】
これに対して、本発明の容器の蓋１では、内蓋２が外蓋４に装着された後に、内蓋２および外蓋４に外部から衝撃が加わり、瞬間的に内蓋２と外蓋４とが芯ずれして、図８に示したように、係合片３６ａが元の斜め下方に突設した状態に復元したとしても、次の瞬間には、大きく弾性変形した係合片３６ｂから係合片３６ａに向かって水平方向の力が作用する。すると、この係合片３６ａは、斜め下方に突設していることから、内周壁４２ａに圧接されて、再び下向きに弾性変形し、これにより内蓋２と外蓋４との芯ずれが解消する。
【００９３】
このように、本発明の容器の蓋１では、内蓋２が外蓋４に装着された後に、内蓋２および外蓋４に外部から衝撃が加わった場合でも、係合片３６が斜め下方に突設していることから、芯ずれが生じ難い。したがって、従来のように気密性が低下することがなく、高い気密性を安定的に備えることが可能である。
【００９４】
また、従来の容器の蓋１００では、図９（Ａ）に示したように、内蓋１０２に下向きの引き抜き力Ｐ２´を作用させた際、係合片１３６が内周壁１４２ａに押圧されて、図中点線で表示した略水平に突設した状態から、係合片１３６の基端を中心として、角度β´だけ上向きに回転するように弾性変形する。すると、この係合片１３６には、元の略水平の状態に戻ろうとする弾性復元力Ｆ２´が図中の矢印Ｆ２´方向に発生し、この反力として、内周壁１４２ａから反力Ｒ２´が係合片１３６に作用する。この反力Ｒ２´の鉛直成分をＲｖ２´、水平成分をＲｈ２´とすると、内蓋１０２を外蓋１０４から引き抜くのに必要な引き抜き力Ｐ２´は、係合片１３６と内周壁１４２ａとの摩擦抵抗を無視すれば、反力Ｒ２´の鉛直成分Ｒｖ２´と等しい。
【００９５】
これに対して、本発明の容器の蓋１では、図９（Ｂ）に示したように、内蓋２に下向きの引き抜き力Ｐ２を作用させた際、係合片３６が内周壁４２ａに押圧されて、図中点線で表示した斜め下方に突設した状態から、係合片３６の基端を中心として、角度βだけ上向きに回転するように弾性変形する。すると、この係合片３６には、元の略水平の状態に戻ろうとする弾性復元力Ｆ２が図中の矢印Ｆ２方向に発生し、この反力として、内周壁４２ａから反力Ｒ２が係合片３６に作用する。この反力Ｒ２の鉛直成分をＲｖ２、水平成分をＲｈ２とすると、内蓋２を外蓋４から引き抜くのに必要な引き抜き力Ｐ２は、係合片３６と内周壁４２ａとの摩擦抵抗を無視すれば、反力Ｒ２の鉛直成分Ｒｖ２と等しい。
【００９６】
ここで、本発明の係合片３６の回転角度βは、従来の係合片１３６の回転角度β´よりも大きく、弾性復元力Ｆ２もＦ２´よりも大きいため、反力Ｒ２はＲ２´よりも大きい。さらに、本発明の係合片３６は、斜め下方に突設している状態から、水平の状態を越えて、斜め上方に弾性変形するため、反力Ｒ２は、反力Ｒ２´と比べて、より鉛直に近い方向
に作用する。すなわち、反力Ｒ２に占める鉛直成分Ｒｖ２の割合は、反力Ｒ２´に占める鉛直成分Ｒｖ２´に比して大きい。
【００９７】
したがって、本発明の容器の蓋１では、従来の容器の蓋１００と比べて、内蓋２を外蓋４から引き抜く際に、大きな引き抜き力Ｐ２を要するため、例えば、内蓋２の底壁２８を引き千切る際に、内蓋２が外れてしまうことがなく、内蓋２と外蓋４とを確実に係合することができる。
【００９８】
なお、環状フランジ３０と係合片３６とのなす角度は、直角すなわち９０度に近いほど、小さな押し込み力で、内蓋２を外蓋４の内側に装着することができ、また、内蓋２が外蓋４から外れ難くなるが、一方において、係合片３６が下向きに長く形成する必要がある。したがって、環状フランジ３０と係合片３６とのなす角度は、係合片３６が長くなり過ぎて、係合片の破断、折れ込みが生ずることのないよう、３０度以上６０度以下の範囲で形成されるのが好ましく、本実施例では、４５度に形成されている。
＜第２の実施形態＞
図１０、図１１、図１２は、本発明の第２の実施形態の容器の蓋１を示した図である。図１０は、本発明の第２の実施形態の容器の蓋の内蓋の平面図、図１１は、図１０のＡ−Ａ線での部分拡大断面図で、内蓋が外蓋に装着される前の状態を示した図、図１２は、図１０のＡ−Ａ線での部分拡大断面図で、内蓋が外蓋に装着された後の状態を示した図である。なお、先に説明した部材と同一の部材には、同一の符号を付して、その説明を省略する。
【００９９】
この第２の実施形態の容器の蓋１では、図１０に示したように、内蓋２の環状フランジ３０の外周側位置に、複数の案内片３７、３７、…が形成されている。この複数の案内片３７、３７、…は、相互に隣接する複数の係合片３６、３６、…の中間に形成されており、本実施例では略等間隔に１０個が形成されている。
【０１００】
また、この案内片３７は、図１１に示したように、環状フランジ３０の外周側位置から略水平に突設しており、案内片３７の上面側には、係合凸部４４を乗り越え易いように、曲線状のテーパが付されている。また、この案内片３７は、係合片３６よりも肉厚に形成されており、本実施例では、その基端部の厚さが、環状フランジ３０の厚さと略同一に形成されている。また、この複数の案内片３７、３７、…は、全て同一の形状に形成されている。
【０１０１】
また、この複数の案内片３７、３７…は、図１１に示したように、内蓋２と外蓋４との中心を合わせて、内蓋２を外蓋４の内側に装着した際に、内蓋２の中心線ＣＬ２から案内片３７の先端までの距離ｒ５が、外蓋４の中心線ＣＬ４から係合凸部４４の基端までの長さｒ１と、ほぼ等しい長さとなるように構成されている。すなわち、内蓋２の内周側環状凸部３２が、外蓋４の頂壁４０の下面４０ａに当接するように、内蓋２が外蓋４の内側に装着された際に、複数の案内片３７、３７、…が、係合凸部４４を乗り越えて、略水平に突設した状態で、外蓋２の内周壁４２ａと当接するように構成されている。
【０１０２】
そして、図１２に示したように、内蓋２の内周側環状凸部３２が、外蓋４の頂壁４０の下面４０ａに当設するように、内蓋２が外蓋４の内側に装着されると、複数の係合片３６、３６、…とともに、この複数の案内片３７、３７、…が、外蓋４の内周壁４２ａに突設した係合凸部４４を乗り越えて、略水平に突設した状態で、外蓋４の内周壁４２ａと当接する。
【０１０３】
このように、この複数の案内片３７、３７、…は、内蓋２を外蓋４の内側に装着する際に、元の略水平に突設した状態のまま外壁４の内周壁４２ａと当接するため、水平方向の
力が作用しても、弾性変形しない。また、係合片３６よりも肉厚に形成されているため、斜め方向の力に対しても、弾性変形し難い。
【０１０４】
したがって、このような複数の案内片３７、３７、…が形成されている容器の蓋１は、内蓋２が外蓋４に装着された後に、内蓋２および外蓋４に外部から衝撃が加わっても、内蓋２が左右方向にずれないので、より芯ずれが生じ難い。また、内蓋２を外蓋４の内側に装着する際に、案内片３７がガイドとなって、内蓋２が左右方向にずれて装着されるのを防止するため、より芯ずれが生じ難い。
【０１０５】
さらに、内蓋２が外蓋４に装着された後に、内蓋２に外蓋４から引き抜こうとする力が作用したとしても、複数の係合片３６、３６、…と同様に、この複数の案内片３７、３７、…も係合凸部４４と係合して、引き抜き力に抗するため、内蓋２が外蓋４からより外れ難くなり、内蓋２と外蓋４とを確実に係合することが可能となる。
【０１０６】
なお、この複数の案内片３７、３７、…の数は、少なくとも複数個形成されていればよく、容器５および蓋１の形状により適当な数とすることができる。また、複数の案内片３７、３７、…の配置間隔も、特に限定されないが、内蓋２を外蓋４の内側に装着する際に、内蓋２が左右方向にずれるのを効果的に防止できるよう、略等間隔に配設されていることが好ましい。
＜第３の実施形態＞
なお、外蓋４の内側に装着される内装部材は、内蓋２に限定されず、例えば、パッキン７であってもよい。
【０１０７】
図１３、図１４は、本発明の第３の実施形態を示した図で、外蓋４に装着される内装部材がパッキン７である容器の蓋１を示している。ここで、図１３は、本発明の第３の実施形態の容器の蓋のパッキンの平面図、図１４は、図１３のＡ−Ａ線での部分省略断面図である。なお、先に説明した部材と同一の部材には、同一の符号を付して、その説明を省略する。
【０１０８】
この第３の実施形態の容器の蓋１では、図１４に示したように、外蓋４の内側にパッキン７が装着されている。このパッキン７は、図１３に示したように、平面視で略円形状に形成され、平板状をなしている。このパッキン７の外周には、複数の係合片７６、７６、…と、複数の案内片７７、７７、…とが形成されており、本実施例では、それぞれ略等間隔に８個づつ形成されている。
【０１０９】
この複数の係合片７６、７６、…は、先に説明した第１、２の実施形態の係合片３６、３６、…と同様に、パッキン７が外蓋４の内側に装着される前の状態では、パッキン７の外周側位置から径方向外側に向けて斜め下方に突設している。また、この係合片７６の形状は、下側に向けて弾性変形し易いように、上面側が急傾斜をなして、先端側に向けて徐々に薄肉になるように形成されており、その基端部の厚さは、パッキン７の厚さの約１／２となっている。また、この複数の係合片７６、７６、…は、全て同一の形状に形成されている。
【０１１０】
また、複数の案内片７７、７７、…は、先に説明した第２の実施形態の複数の案内片３７、３７、…と同様に、パッキン７の外周側位置から略水平に突設しており、パッキン７を外蓋４の内側に装着する際に、元の略水平に突設した状態のまま外壁４の内周壁４２ａと当接するように構成されている。また、案内片７７の上面側には、係合凸部４４を乗り越え易いように、曲線状のテーパが付されている。この案内片７７は、係合片７６よりも肉厚に形成されており、本実施例では、その基端部の厚さが、パッキン７の厚さと略同一に形成されている。また、この複数の案内片７７、７７、…は、全て同一の形状に形成さ
れている。
【０１１１】
また、パッキン７には、パッキン7の外周側位置から上方に突設する外周側環状凸部７
２と、この外周側環状凸部７４よりも内周側位置から上方に突設する内周側環状凸部とが形成されている。また、先に説明した第１、２の実施形態の内蓋２と同様に、この内周側環状凸部７２の先端は、パッキン７が装着された外蓋４が容器５の口部５２に嵌め込まれる前の状態において、外周側環状凸部７４の先端よりも上方に位置するように形成されている。
【０１１２】
このように構成された本発明の第３の実施形態の容器の蓋１では、パッキン７の外周側位置に形成された係合片７６が、径方向外側に向けて斜め下方に突設していることから、先に説明した第１、２の実施形態と同様に、小さな押し込み力でパッキン７を外蓋４の内側に装着することができ、且つ、装着されたパッキン７が外れ難い。さらに、芯ずれを起こした状態でパッキン７と外蓋４とが係合された場合であっても、先に説明した第１、２の実施形態と同様に、パッキン７が装着された外蓋４を容器５の口部５２に嵌め込むことで、パッキン７が自動的に調芯される。
【０１１３】
また、複数の案内片７７、７７、…が形成されていることから、先に説明した第２の実施形態と同様に、パッキン７および外蓋４に外部から衝撃が加わっても、パッキン７が左右方向にずれないので、より芯ずれが生じ難い。
【０１１４】
さらに、パッキン７が外蓋４に装着された後に、パッキン７に外蓋４から引き抜こうとする力が作用したとしても、複数の係合片７６、７６、…とともに、複数の案内片７７、７７、…が係合凸部４４と係合して、引き抜き力に抗するため、パッキン７が外蓋４からより外れ難く、パッキン７と外蓋４とを確実に係合することが可能である。
【０１１５】
また、パッキン７には、内周側環状凸部７２と外周側環状凸部７４が突設していることから、先に説明した第１、２の実施形態と同様に、パッキン７が装着された外蓋４が、容器５の口部５２に嵌め込まれた状態では、内周側環状凸部７２と、外周側環状凸部７４の２箇所において、容器内の雰囲気が容器外の雰囲気から遮断されるため、長期間に亘り、安定して、容器５を気密に保持することができる。
【０１１６】
以上、本発明の好ましい実施の態様を説明してきたが、本発明はこれに限定されることはなく、本発明の目的を逸脱しない範囲で種々の変更が可能である。
【０１１７】
例えば、上記の実施例では、内蓋２の内部には乾燥剤８が収容されているが、内蓋２に収容される収容物は、乾燥剤には限定されず、分別廃棄が要求される他の収容物であっても、好適に使用することが可能である。
【０１１８】
また、例えば、上記の実施例では、容器５には薬剤が収容されているが、容器５に収容される収容物は薬剤には限定されず、高気密性、高防湿性が要求される他の収容物であっても、好適に使用することが可能である。
【符号の説明】
【０１１９】
１      容器の蓋
２      内蓋
４      外蓋
５      容器
６      空間
７      パッキン
８      乾燥剤
２６    周壁
２８    底壁
２９    通気孔
３０    環状フランジ
３０ａ  環状フランジの下面
３１      弱化部
３２    内周側環状凸部
３３    摘み片
３４    外周側環状凸部
３６    係合片
３６ａ  係合片
３６ｂ  係合片
３７    案内片
４０    頂壁
４０ａ  頂壁の下面
４２    周壁
４２ａ  内周壁
４３    ネジ部
４４    係合凸部
５２    口部
５３    ネジ部
７２    内周側環状凸部
７４    外周側環状凸部
７６    係合片
７７    案内片
１００  容器の蓋
１０２  内蓋
１０４  外蓋
１０５  容器
１０６  空間
１０８  乾燥剤
１２６  周壁
１２８  底壁
１２９  通気孔
１３０  環状フランジ
１３０ａ  環状フランジの下面
１３１  弱化部
１３２  内周側環状凸部
１３４  外周側環状凸部
１３６  係合片
１３６ａ  係合片
１３６ｂ  係合片
１４０  頂壁
１４０ａ  頂壁の下面
１４２  周壁
１４２ａ  内周壁
１４３  ネジ部
１４４  係合凸部
１５２  口部
１５３  ネジ部
２００  容器の蓋
２０２  内蓋
２０４  外蓋
２２６  周壁
２２８  底壁
２３０  環状フランジ
２４０  頂壁
２４２  周壁
２４２ａ  内周壁
２４４  係合凸部
ＣＬ２、ＣＬ１０２  内蓋の中心線
ＣＬ４、ＣＬ１０４  外蓋の中心線
Ｆ１、Ｆ１´、Ｆ２、Ｆ２´  弾性復元力
Ｐ１、Ｐ１´  押し込み力
Ｐ２、Ｐ２´  引き抜き力
Ｒ１、Ｒ１´、Ｒ２、Ｒ２´  反力
Ｒｈ１、Ｒｈ１´、Ｒｈ２、Ｒｈ２´  反力の鉛直成分
Ｒｖ１、Ｒｖ１´、Ｒｖ２、Ｒｖ２´  反力の鉛直成分
α、β  回転角度
【図１】
2010260612.tif 000003
【図２】
2010260612.tif 000004
【図３】
2010260612.tif 000005
【図４】
2010260612.tif 000006
【図５】
2010260612.tif 000007
【図６】
2010260612.tif 000008
【図７】
2010260612.tif 000009
【図８】
2010260612.tif 000010
【図９】
2010260612.tif 000011
【図１０】
2010260612.tif 000012
【図１１】
2010260612.tif 000013
【図１２】
2010260612.tif 000014
【図１３】
2010260612.tif 000015
【図１４】
2010260612.tif 000016
【図１５】
2010260612.tif 000017
【図１６】
2010260612.tif 000018
【図１７】
2010260612.tif 000019
【図１８】
2010260612.tif 000020
【図１９】
2010260612.tif 000021
【図２０】
2010260612.tif 000022